(57)【要約】【課題】検査装置によって検査された画像を人が確認する際の利便性を高める。【解決手段】不良用紙上のコード画像の読み取りが行われると、モニタ２１１に不良についての情報が表示される。具体的には、表示画面の図中左上に、コード画像を読み取ることにより得られた識別情報が表示される。また、表示画面の右上には、現在表示しているページのページ番号が表示される。さらに、表示画面の中段且つ右側には、現在表示しているページの全体像４１９が表示される。また、表示画面の中段且つ中央には、不良が発生している箇所の読み取り画像データに基づく画像を拡大して表示する拡大表示部４１２が設けられる。また、表示画面の中段且つ左側には、原画像データに基づく画像を表示する原画像表示部４１３が設けられる。【選択図】図５
2014185941.tif 000002
【特許請求の範囲】
【請求項１】
画像の元となる原画像データに基づき記録材上に画像を形成する画像形成手段と、
前記画像形成手段により記録材上に形成された形成画像が、予め定められた条件を満たしているか否かを判断する判断手段と、
記録材上の前記形成画像を読み取り、読み取り画像データを生成する画像読み取り手段と、
前記予め定められた条件を満たしていないと前記判断手段によって判断された形成画像が形成されている記録材に対して、識別情報を含む画像である識別画像を形成する識別画像形成手段と、
前記予め定められた条件を満たしていないと前記判断手段によって判断された前記形成画像の前記画像読み取り手段による読み取り画像データと、前記識別情報とを対応付けて記憶する記憶手段と、
前記記憶手段にて記憶されている前記読み取り画像データであって前記形成画像とともに記録材上に形成された前記識別画像から得られた識別情報に対応した当該読み取り画像データに基づく画像を表示するとともに、当該形成画像の元となった原画像データに基づく画像を表示する画像表示手段と、
を備える画像検査システム。
【請求項２】
前記画像表示手段は、前記読み取り画像データに基づく前記画像を表示することで前記形成画像の表示を行うとともに、当該形成画像の表示に際し、当該形成画像のうちの前記予め定められた条件を満たしていない部分の各々を順に表示し、且つ、当該予め定められた条件を満たしていない部分を順に表示する際、当該予め定められた条件を最も満たしていないものから順に当該表示を行うことを特徴とする請求項１記載の画像検査システム。
【請求項３】
前記判断手段による判断がなされた記録材を積載する積載手段を更に備え、
前記積載手段は、前記予め定められた条件を満たしていると判断された形成画像が形成されている記録材と、当該予め定められた条件を満たしていないと判断された形成画像が形成されている記録材とをずらして積載することを特徴とする請求項１記載の画像検査システム。
【請求項４】
前記予め定められた条件を満たしていないと前記判断手段によって判断された前記形成画像の元となった原画像データに基づく再度の画像形成をユーザが希望する場合に、当該ユーザから、当該再度の画像形成の指示を受け付ける受け付け手段を更に備え、
前記判断手段は、記録材上に形成された前記形成画像のうちの前記予め定められた条件を満たしていない部分を特定し、
前記画像表示手段は、前記予め定められた条件を満たしていない前記部分が１ページ内に複数有る場合、当該予め定められた条件を満たしていない当該部分を順に表示するとともに、前記再度の画像形成の指示を前記受け付け手段にて受け付けた場合は、当該予め定められた条件を満たしていない当該部分のうちの未だ表示を行っていない部分の表示を省略することを特徴とする請求項１記載の画像検査システム。
【請求項５】
画像の元となる原画像データに基づき記録材上に形成された形成画像が、予め定められた条件を満たしているか否かを判断する判断手段と、
記録材上の前記形成画像を読み取り、読み取り画像データを生成する画像読み取り手段と、
前記予め定められた条件を満たしていないと前記判断手段によって判断された形成画像が形成されている記録材に対して、識別情報を含む画像である識別画像を形成する識別画像形成手段と、
前記予め定められた条件を満たしていないと前記判断手段によって判断された前記形成画像の前記画像読み取り手段による読み取り画像データと、前記識別情報とを対応付けて記憶する記憶手段と、
前記記憶手段にて記憶されている前記読み取り画像データであって前記形成画像とともに記録材上に形成された前記識別画像から得られた識別情報に対応した当該読み取り画像データ、および、当該形成画像の元となった原画像データを出力する出力手段と、
を備える画像検査装置。
【請求項６】
前記識別画像形成手段は、前記記録材のうちの、後に行われる切り落とし処理によって切り落とされる部分に、前記識別画像を形成することを特徴とする請求項５記載の画像検査装置。
【請求項７】
画像の元となる原画像データに基づき記録材上に形成された形成画像が、予め定められた条件を満たしているか否かを判断する判断機能と、
記録材上の前記形成画像を読み取る画像読み取り手段に当該形成画像を読み取らせて読み取り画像データを生成させる機能と、
前記予め定められた条件を満たしていないと判断された形成画像が形成されている記録材に対する、識別情報を含む画像である識別画像の形成を、画像形成手段に行わせる機能と、
前記予め定められた条件を満たしていないと判断された前記形成画像の前記画像読み取り手段による読み取り画像データと、前記識別情報とを対応付けた状態で記憶部に格納する機能と、
前記記憶部にて記憶されている前記読み取り画像データであって前記形成画像とともに記録材上に形成された前記識別画像から得られた識別情報に対応した当該読み取り画像データ、および、当該形成画像の元となった原画像データの出力を、出力手段に行わせる機能と、
をコンピュータに実現させるためのプログラム。
【請求項８】
画像の元となる原画像データに基づき記録材上に形成された形成画像が、予め定められた条件を満たしているか否かを判断し、
記録材上の前記形成画像を読み取り、読み取り画像データを生成し、
前記予め定められた条件を満たしていないと判断された形成画像が形成されている記録材に対して、識別情報を含む画像である識別画像を形成し、
前記予め定められた条件を満たしていないと判断された前記形成画像を読み取ることにより得られた読み取り画像データと、前記識別情報とを対応付けて記憶部に格納し、
前記形成画像とともに記録材上に形成された前記識別画像から得られた識別情報に対応した読み取り画像データであって前記記憶部に記憶されている当該読み取り画像データ、および、当該形成画像の元となった原画像データを出力する画像データ出力方法。
【発明の詳細な説明】
【技術分野】
【０００１】
本発明は、画像検査システム、画像検査装置、プログラム、および、画像データ出力方法に関する。
【背景技術】
【０００２】
特許文献１には、印刷物上の画像を入力する画像入力手段と、この画像入力手段で入力された画像に基づき印刷物の良、不良を検査する検査手段と、この検査手段の検査結果が不良のとき、画像入力手段で入力された画像を表示する表示手段を備えた印刷検査装置が開示されている。
また、特許文献２には、検査部で不良が検出された印刷物にマークを付け、検査部とリジェクタの間に設置されたセンサによりこのマークが検出されたら、リジェクタにより、不良の検査された印刷物を排出するようにした不良リジェクト方法が開示されている。
また、特許文献３には、付与された検査群識別情報を含む２次元コードを出力し、作業担当者が、出力された２次元コードを対応する検査群に貼付する処理が開示されている。
【先行技術文献】
【特許文献】
【０００３】
【特許文献１】特開平０８−１４５９１０号公報
【特許文献２】特開平０９−９４９３９号公報
【特許文献３】特開２００９−１３３７４１号公報
【発明の概要】
【発明が解決しようとする課題】
【０００４】
本発明の目的は、検査装置によって検査された画像を人が確認する際の利便性を高めることにある。
【課題を解決するための手段】
【０００５】
請求項１に記載の発明は、画像の元となる原画像データに基づき記録材上に画像を形成する画像形成手段と、前記画像形成手段により記録材上に形成された形成画像が、予め定められた条件を満たしているか否かを判断する判断手段と、記録材上の前記形成画像を読み取り、読み取り画像データを生成する画像読み取り手段と、前記予め定められた条件を満たしていないと前記判断手段によって判断された形成画像が形成されている記録材に対して、識別情報を含む画像である識別画像を形成する識別画像形成手段と、前記予め定められた条件を満たしていないと前記判断手段によって判断された前記形成画像の前記画像読み取り手段による読み取り画像データと、前記識別情報とを対応付けて記憶する記憶手段と、前記記憶手段にて記憶されている前記読み取り画像データであって前記形成画像とともに記録材上に形成された前記識別画像から得られた識別情報に対応した当該読み取り画像データに基づく画像を表示するとともに、当該形成画像の元となった原画像データに基づく画像を表示する画像表示手段と、を備える画像検査システムである。
請求項２に記載の発明は、前記画像表示手段は、前記読み取り画像データに基づく前記画像を表示することで前記形成画像の表示を行うとともに、当該形成画像の表示に際し、当該形成画像のうちの前記予め定められた条件を満たしていない部分の各々を順に表示し、且つ、当該予め定められた条件を満たしていない部分を順に表示する際、当該予め定められた条件を最も満たしていないものから順に当該表示を行うことを特徴とする請求項１記載の画像検査システムである。
請求項３に記載の発明は、前記判断手段による判断がなされた記録材を積載する積載手段を更に備え、前記積載手段は、前記予め定められた条件を満たしていると判断された形成画像が形成されている記録材と、当該予め定められた条件を満たしていないと判断された形成画像が形成されている記録材とをずらして積載することを特徴とする請求項１記載の画像検査システムである。
請求項４に記載の発明は、前記予め定められた条件を満たしていないと前記判断手段によって判断された前記形成画像の元となった原画像データに基づく再度の画像形成をユーザが希望する場合に、当該ユーザから、当該再度の画像形成の指示を受け付ける受け付け手段を更に備え、前記判断手段は、記録材上に形成された前記形成画像のうちの前記予め定められた条件を満たしていない部分を特定し、前記画像表示手段は、前記予め定められた条件を満たしていない前記部分が１ページ内に複数有る場合、当該予め定められた条件を満たしていない当該部分を順に表示するとともに、前記再度の画像形成の指示を前記受け付け手段にて受け付けた場合は、当該予め定められた条件を満たしていない当該部分のうちの未だ表示を行っていない部分の表示を省略することを特徴とする請求項１記載の画像検査システムである。
請求項５に記載の発明は、画像の元となる原画像データに基づき記録材上に形成された形成画像が、予め定められた条件を満たしているか否かを判断する判断手段と、記録材上の前記形成画像を読み取り、読み取り画像データを生成する画像読み取り手段と、前記予め定められた条件を満たしていないと前記判断手段によって判断された形成画像が形成されている記録材に対して、識別情報を含む画像である識別画像を形成する識別画像形成手段と、前記予め定められた条件を満たしていないと前記判断手段によって判断された前記形成画像の前記画像読み取り手段による読み取り画像データと、前記識別情報とを対応付けて記憶する記憶手段と、前記記憶手段にて記憶されている前記読み取り画像データであって前記形成画像とともに記録材上に形成された前記識別画像から得られた識別情報に対応した当該読み取り画像データ、および、当該形成画像の元となった原画像データを出力する出力手段と、を備える画像検査装置である。
請求項６に記載の発明は、前記識別画像形成手段は、前記記録材のうちの、後に行われる切り落とし処理によって切り落とされる部分に、前記識別画像を形成することを特徴とする請求項５記載の画像検査装置である。
請求項７に記載の発明は、画像の元となる原画像データに基づき記録材上に形成された形成画像が、予め定められた条件を満たしているか否かを判断する判断機能と、記録材上の前記形成画像を読み取る画像読み取り手段に当該形成画像を読み取らせて読み取り画像データを生成させる機能と、前記予め定められた条件を満たしていないと判断された形成画像が形成されている記録材に対する、識別情報を含む画像である識別画像の形成を、画像形成手段に行わせる機能と、前記予め定められた条件を満たしていないと判断された前記形成画像の前記画像読み取り手段による読み取り画像データと、前記識別情報とを対応付けた状態で記憶部に格納する機能と、前記記憶部にて記憶されている前記読み取り画像データであって前記形成画像とともに記録材上に形成された前記識別画像から得られた識別情報に対応した当該読み取り画像データ、および、当該形成画像の元となった原画像データの出力を、出力手段に行わせる機能と、をコンピュータに実現させるためのプログラムである。
請求項８に記載の発明は、画像の元となる原画像データに基づき記録材上に形成された形成画像が、予め定められた条件を満たしているか否かを判断し、記録材上の前記形成画像を読み取り、読み取り画像データを生成し、前記予め定められた条件を満たしていないと判断された形成画像が形成されている記録材に対して、識別情報を含む画像である識別画像を形成し、前記予め定められた条件を満たしていないと判断された前記形成画像を読み取ることにより得られた読み取り画像データと、前記識別情報とを対応付けて記憶部に格納し、前記形成画像とともに記録材上に形成された前記識別画像から得られた識別情報に対応した読み取り画像データであって前記記憶部に記憶されている当該読み取り画像データ、および、当該形成画像の元となった原画像データを出力する画像データ出力方法である。
【発明の効果】
【０００６】
請求項１の発明によれば、検査装置によって検査された画像を人が確認する際の利便性を高めることができる。
請求項２の発明によれば、予め定められた条件を満たしていないと判断された部分のうちの、この予め定められた条件に最も近い条件を有している部分から順に表示を行っていく場合に比べ、記録材上に形成された画像が予め定められた条件を満たしているか否かのユーザによる判断がより早期に行われるようになる。
請求項３の発明によれば、予め定められた条件を満たしていないと判断された画像が形成された記録材を、記録材が複数枚積載された積載部から見つけ出しやすくすることができる。
請求項４の発明によれば、予め定められた条件を満たしていないと判断された画像の元となった原画像データに基づく再度の画像形成が行われるにも関わらず、予め定められた条件を満たしていないと判断された画像が依然として表示されることが防止される。
請求項５の発明によれば、検査装置によって検査された画像を人が確認する際の利便性を高めることができる。
請求項６の発明によれば、記録材上に識別画像が残ることを抑制できる。
請求項７の発明によれば、検査装置によって検査された画像を人が確認する際の利便性を高めることができる。
請求項８の発明によれば、検査装置によって検査された画像を人が確認する際の利便性を高めることができる。
【図面の簡単な説明】
【０００７】
【図１】本実施形態にかかる画像形成システムの全体構成を示した図である。
【図２】図１の矢印ＩＩ方向から送り出しローラを眺めた場合の図である。
【図３】本実施形態の画像形成システムにて実行される処理の流れを示したフローチャートである。
【図４】用紙に形成されたコード画像を示した図である。
【図５】モニタにおける表示画面の一例を示した図である。
【図６】モニタにおける上記表示処理がなされる際に実行される一連の処理の流れを示したフローチャートである。
【図７】検査装置による検査が終了した後の用紙の状態を示した図である。
【発明を実施するための形態】
【０００８】
以下、添付図面を参照して本発明の実施形態について説明する。
図１は、本実施形態にかかる画像形成システムの全体構成を示した図である。
本実施形態の画像形成システム１は、記録材の一例である用紙Ｐに対して画像を形成する画像形成装置１００、画像形成装置１００によって用紙Ｐ上に形成された画像を検査する検査装置２００、検査装置２００から排出された用紙Ｐを収容する用紙収容装置３００を備えている。さらに、画像形成システム１には、検査装置２００によって用紙Ｐ上に形成されたコード画像（詳細は後述）を読み取るコード画像読み取り装置４００が設けられている。なお、本実施形態の画像形成システム１は、用紙Ｐ上に形成された画像を検査する機能も有しているため、画像検査システムとして捉えることも可能である。
【０００９】
画像形成手段として機能する画像形成装置１００は、不図示のＰＣ（Personal Computer）などから、形成される画像の元となる画像データ（以下、「原画像データ」と称する）を取得し、取得したこの原画像データに基づき、トナーなどの画像形成材を用いて用紙Ｐに対して画像を形成する。なお、本実施形態において、用紙Ｐに画像を形成する機構は特に限定されず、いわゆる電子写真方式やインクジェット方式等、既存の種々の方式が用いられる。
【００１０】
検査装置２００には端末装置２１０が設けられている。この端末装置２１０は、タッチパネル方式のモニタ２１１を有しユーザ（オペレータ）からの操作を受け付けるとともにユーザに対し情報の表示を行う。さらに、検査装置２００には、画像形成装置１００から排出された用紙Ｐが搬送される用紙搬送経路Ｒが設けられている。また、用紙搬送経路Ｒの脇に設けられ、用紙Ｐの先端部のエッジを検知するエッジ検知センサ２１２、エッジ検知センサ２１２を通過した用紙Ｐをさらに下流側へ送り出す第１送りローラ２１３が設けられている。
【００１１】
さらに、検査装置２００には、第１送りローラ２１３よりも用紙Ｐの搬送方向における下流側に設けられ、用紙Ｐをさらに下流側へ送り出す第２送りローラ２１４が設けられている。また、第１送りローラ２１３よりも下流側且つ第２送りローラ２１４よりも上流側には、用紙Ｐに形成された画像を読み取る画像読み取り装置２２０が設けられている。
【００１２】
また、第２送りローラ２１４よりも下流側には、用紙搬送経路Ｒ上の用紙Ｐに対してコード画像を形成するコード画像形成ヘッド２１５が設けられている。さらに、検査装置２００には、コード画像形成ヘッド２１５によるコード画像の形成処理を制御する制御部２４０が設けられている。なお、コード画像形成ヘッド２１５は、例えばインクジェットヘッドによって構成される。
【００１３】
画像読み取り手段の一例としての画像読み取り装置２２０には、用紙搬送経路Ｒの一方の脇に配置され（図中、用紙搬送経路Ｒよりも上方に配置され）、用紙Ｐの表面に形成された画像を読み取る表面画像読み取り装置２２１、用紙搬送経路Ｒの他方の脇に配置され（図中、用紙搬送経路Ｒよりも下方に配置され）、用紙Ｐの裏面に形成された画像を読み取る裏面画像読み取り装置２２２が設けられている。
【００１４】
ここで、表面画像読み取り装置２２１および裏面画像読み取り装置２２２の各々の画像読み取り装置には、用紙Ｐに光を照射する光源２２５と、用紙Ｐからの反射光を複数の受光素子にて受光し画像データ（以下、「読み取り画像データ」と称する）を生成するラインセンサ２２６と、用紙Ｐからの反射光をこのラインセンサ２２６に導く反射鏡２２７とが設けられている。さらに、各々の画像読み取り装置には、反射鏡２２７により導かれた用紙Ｐからの反射光を、ラインセンサ２２６に結像させる結像光学系２２８が設けられている。
【００１５】
次に、制御部２４０について説明すると、制御部２４０には、表面画像読み取り装置２２１および裏面画像読み取り装置２２２から出力されてきた読み取り画像データを蓄積する第１バッファメモリ２４１が設けられている。また、画像形成装置１００やＰＣ（不図示）などから送信されてきた原画像データを蓄積する第２バッファメモリ２４２が設けられている。
【００１６】
さらに、制御部２４０には、第１バッファメモリ２４１および第２バッファメモリ２４２から照合処理部２４４への画像データ（原画像データ、読み取り画像データ）の出力を制御する出力制御部２４３を備えている。なお、本実施形態では、この照合処理部２４４において、読み取り画像データと原画像データとの照合を行う。なお、この照合をより行いやすくするため、第２バッファメモリ２４２へ原画像データの格納を行う際などに、原画像データに対しグレースケール変換や解像度変換などの処理を行っておくとよい。
【００１７】
ここで、出力制御部２４３は、第１バッファメモリ２４１に格納されている読み取り画像データの第１バッファメモリ２４１からの出力タイミングと、第２バッファメモリ２４２に格納されている原画像データの第２バッファメモリ２４２からの出力タイミングとが同じとなるように、第１バッファメモリ２４１および第２バッファメモリ２４２からの画像データの出力を制御する。
【００１８】
より具体的に説明すると、出力制御部２４３は、第１バッファメモリ２４１および第２バッファメモリ２４２から、１ページ分（用紙１枚分）の原画像データおよび読み取り画像データを順次出力していくが、この際（各ページの画像データの出力を開始する際）、例えば、各ページの先頭に形成される画像に対応した画像データから出力を開始し、最後に、各ページの後端に形成される画像に対応した画像データを出力する。
【００１９】
さらに、本実施形態では、第１バッファメモリ２４１からの読み取り画像データの出力開始タイミングと、第２バッファメモリ２４２からの原画像データの出力開始タイミングとを一致させるとともに、各ページの後端に形成される画像に対応した画像データを出力する際にも、読み取り画像データの出力タイミングと原画像データの出力タイミングとを一致させる。これにより、本実施形態では、原画像データと読み取り画像データとが照合処理部２４４において比較される際、原画像データにより特定される画像の用紙Ｐ上における位置と、読み取り画像データにより特定される画像の用紙Ｐ上における位置とが一致するようになる。
【００２０】
さらに説明すると、本実施形態では、エッジ検知センサ２１２からの出力が出力制御部２４３へ出力され、出力制御部２４３は、エッジ検知センサ２１２への用紙Ｐの先端部の到達を把握する。また、第１バッファメモリ２４１には、表面画像読み取り装置２２１、裏面画像読み取り装置２２２から、画像の読み取りに同期したクロック信号が読み取り画像データとともに送信されてくる。さらに、第２バッファメモリ２４２には、原画像データとともに、ページ同期信号が送られてくる。出力制御部２４３は、エッジ検知センサ２１２からの出力、クロック信号、ページ同期信号などに基づき、原画像データおよび読み取り画像データの出力を行う際のタイミングを決定する。
【００２１】
制御部２４０についてさらに説明すると、制御部２４０には、第１バッファメモリ２４１から出力された読み取り画像データと第２バッファメモリ２４２から出力された原画像データとを照合する照合処理部２４４が設けられている。さらに、照合処理部２４４による照合の結果を保持する結果保持部２４５が設けられている。また、照合処理部２４４による照合の結果に基づき、コード画像形成ヘッド２１５の制御を行うコード画像形成制御部２４６が設けられている。
【００２２】
なお、照合処理部２４４では、第１バッファメモリ２４１から送られてくる読み取り画像データおよび第２バッファメモリ２４２から送られてくる原画像データのそれぞれを予め定められた領域に分割するとともに、各領域毎に、パターンマッチング処理を行い、形成された画像に不良が発生しているか否かを判断する。付言すると、判断手段として機能する照合処理部２４４では、第１バッファメモリ２４１から送られてくる読み取り画像データおよび第２バッファメモリ２４２から送られてくる原画像データに基づき、用紙Ｐ上に形成された画像が予め定められた条件で形成されているか否かを判断する。
【００２３】
なお、パターンマッチング処理の典型的な手法としては、例えば、比較対象となっている二つの領域の各々に含まれる複数の画素毎に、濃度値などの予め定められたパラメータを比較し、この二つのパラメータ間における差分を求める。そして、各画素の比較により得られた複数の差分の絶対値和を求め、この絶対値和が予め定められた閾値を超えているか否かを判断する。そして、絶対値和が予め定められた閾値を超えている場合に、画像（の一部）に不良が発生していると判断する。
【００２４】
なお、制御部２４０は、例えば、演算処理を実行するＣＰＵ（Central Processing Unit）、制御プログラムが記憶された不揮発性のＲＯＭ（Read Only Memory）やＨＤＤ（Hard Disk Drive）、データを一時的に記憶するＲＡＭ（Random Access Memory）等によって構成される。ここで、制御部２４０は、例えばＲＯＭに記憶された制御プログラムを実行することにより、出力制御部２４３、照合処理部２４４、コード画像形成制御部２４６として機能する。また、第１バッファメモリ２４１、第２バッファメモリ２４２、結果保持部２４５は、ＲＡＭやＨＤＤにより実現される。
【００２５】
次に、用紙収容装置３００について説明する。
用紙積載手段として機能する本実施形態の用紙収容装置３００には、筐体３１０が設けられている。また、この筐体３１０の内部に収められ、検査装置２００から順次排出されてくる用紙Ｐが積載される用紙積載部３２０が設けられている。さらに、検査装置２００から排出されてくる用紙Ｐをこの用紙積載部３２０に送り出す送り出しローラ３３０が設けられている。
【００２６】
なお、本実施形態では、図２（図１の矢印ＩＩ方向から送り出しローラ３３０を眺めた場合の図）に示すように、送り出しローラ３３０は、不図示のモータにより回転駆動を行う駆動ローラ３３１と、この駆動ローラ３３１に押し付けられ駆動ローラ３３１に従動して回転する従動ローラ３３２とから構成されている。また、本実施形態では、送り出しローラ３３０は、送り出しローラ３３０の軸方向に沿って移動可能に設けられている。
【００２７】
さらに、本実施形態では、モータやカム（何れも不図示）などを備え、送り出しローラ３３０の軸方向に沿って送り出しローラ３３０を移動させる移動機構３４０が設けられている。ここで、本実施形態では、移動機構３４０によって送り出しローラ３３０を軸方向に移動させることで、用紙Ｐの積載位置をずらせるようになっている（用紙Ｐの積載位置を異ならせることができるようになっている）。言い換えると、用紙Ｐの積載位置がオフセットされるようになっている。より具体的に説明すると、送り出しローラ３３０によって用紙Ｐが搬送されている最中に、送り出しローラ３３０を軸方向に移動させることで、用紙Ｐの積載位置がオフセットされるようになっている。
【００２８】
図３は、本実施形態の画像形成システム１にて実行される処理の流れを示したフローチャートである。
本実施形態では、不図示のスタートボタンがユーザにより押圧されることで、印刷ジョブに基づく画像形成処理が開始される（ステップ１０１）。具体的には、まず、ユーザから提供された原画像データが画像形成装置１００に入力され（ステップ１０２）、これにより、画像形成装置１００において画像形成処理が実行される（ステップ１０３）。なお、ユーザから提供された原画像データは、検査装置２００（図１参照）の第２バッファメモリ２４２にも格納され、後述する照合処理にも用いられる。
【００２９】
その後、画像形成処理に伴い画像形成装置１００から順次排出される用紙Ｐが検査装置２００に送り込まれ、検査装置２００にて、用紙Ｐ上の画像の読み取りが行われる（ステップ１０４）。なお、この読み取りにより得られた読み取り画像データは、図１にて示した第１バッファメモリ２４１に格納される。その後、本実施形態では、検査装置２００の照合処理部２４４が照合処理を実行する（ステップ１０５）。具体的には、第１バッファメモリ２４１に格納された読み取り画像データと、第２バッファメモリ２４２に格納された原画像データとが用いられ、上記パターンマッチング処理が行われる。
【００３０】
次いで、照合処理部２４４は、パターンマッチング処理に基づき、用紙Ｐ上に形成された画像に不良が発生しているか否かを判断する（ステップ１０６）。そして、不良が発生していないと照合処理部２４４が判断した場合、不図示のメイン制御部にて、印刷ジョブが全て終了しているか否かが判断され（ステップ１１０）、印刷ジョブが全て終了していると判断された場合は全体の処理を終了する。その一方で、印刷ジョブが終了していないと判断された場合は、ステップ１０２以降の処理が再度実行される。
【００３１】
一方、ステップ１０６において、不良が発生していると判断された場合、照合処理部２４４は、不良が発生しているページのページ情報（ページ番号）、不良の発生位置（ページ内における位置）、不良の程度、不良の個数、原画像データ、読み取り画像データなどにより構成される不良状況データと、この不良状況データを他の不良状況データと識別するための識別情報（ＩＤ）とを対応づけたうえで、この不良状況データおよび識別情報を、記憶手段として機能する結果保持部２４５に出力する。
【００３２】
これにより、互いに関連付けられた不良状況データおよび識別情報が、結果保持部２４５によって保持されるようになる（ステップ１０７）。その後、コード画像形成制御部２４６（図１参照）が、上記識別情報に基づきコード画像を生成し、不良が発生していると判断された用紙Ｐに対して、コード画像形成ヘッド２１５を用い、生成したこのコード画像を形成する（ステップ１０８）。付言すると、本実施形態では、識別画像形成手段として機能するコード画像形成制御部２４６によって、他の用紙Ｐとの識別を可能とする識別画像が、不良が発生していると判断された用紙Ｐに対し形成される。
【００３３】
なお、コード画像が形成された用紙Ｐは、用紙積載部３２０（図１参照）上に積載されることとなるが、この際、移動機構３４０（図２参照）によって送り出しローラ３３０が移動し、コード画像が形成された用紙Ｐは、オフセットされた状態で用紙積載部３２０上に積載される（ステップ１０９）。その後、ステップ１１０において、印刷ジョブが全て終了しているか否かを判断され、印刷ジョブが全て終了していると判断された場合は全体の処理を終了する。その一方で、印刷ジョブが終了していないと判断された場合は、ステップ１０２以降の処理が再度実行される。
【００３４】
図４は、用紙Ｐに形成されたコード画像を示した図である。
本実施形態における画像形成装置１００は、図中「印字データ領域」で示す矩形の領域内に画像を形成する。さらに、画像形成装置１００は、同図に示すように、矩形状に形成された用紙の四隅の各々であって、「印字データ領域」よりも外側に位置する箇所に、十字のマークＭＫ１を形成（印字）する。
【００３５】
さらに、本実施形態では、互いに隣り合う十字のマークＭＫ１の間に、Ｔ字状のマークＭＫ２が形成される。ここで、本実施形態では、製本時等に、マークＭＫ１およびマークＭＫ２よりも外側に位置する領域が、切り落とされる。そして、本実施形態では、この切り落とされる部分に対し上記コード画像が形成される。これにより、本実施形態では、コード画像が用紙Ｐ上に残った状態で製本等されることが防止される。なお、コード画像は特に限定されないが、例えば、１次元のバーコードや、ＱＲコード（登録商標）などの２次元のバーコードなどを用いることができる。
【００３６】
ここで、本実施形態では、用紙Ｐが搬送される際の搬送方向（検査装置２００における用紙搬送方向、図４において矢印４Ａで示す搬送方向）において、用紙Ｐの後端部側に、コード画像が形成される。ここで、検査装置２００（図１参照）をより小型にできるため、コード画像形成ヘッド２１５を、用紙Ｐの搬送方向において、より上流側に配置し、画像読み取り装置２２０に対しコード画像形成ヘッド２１５を接近させることが好ましい。その一方で、コード画像形成ヘッド２１５を画像読み取り装置２２０に接近させすぎると、コード画像形成ヘッド２１５によるコード画像の形成時に、コード画像形成ヘッド２１５よりも下流側に用紙Ｐが位置し、コード画像の形成ができなくなるという不具合が起こりうる。
【００３７】
このため、本実施形態では、コード画像形成ヘッド２１５による用紙Ｐへのコード画像の形成が可能になる箇所のうち、最も上流側に、コード画像形成ヘッド２１５を配置するようにし、コード画像の形成ができなくなるという上記不具合の発生を抑制しつつ、検査装置２００の小型化を図っている。なお、この場合、上記のとおり、用紙Ｐの搬送方向において、用紙Ｐの後端部側に、コード画像が形成される。
【００３８】
用紙Ｐへの画像の形成が終了後、ユーザによって、不良が発生していると判断された画像の質が確認されることがある。かかる場合、本実施形態では、まず、用紙積載部３２０（図１参照）において、ユーザにより、積載されている用紙Ｐの中から、不良が発生していると判断された画像が形成された用紙Ｐ（検査装置２００によって不良が発生していると判断された画像が形成された用紙Ｐ）（以下、「不良用紙Ｐ」と称することがある）が見出される。ここで、本実施形態では、不良用紙Ｐに対しては、不良用紙Ｐの側部に対して上記コード画像が形成されており、ユーザは、このコード画像の有無により、不良用紙Ｐを見出す。
【００３９】
その後、本実施形態では、図１にて示したコード画像読み取り装置４００がユーザにより操作され、不良用紙Ｐ上のコード画像が読み取られる。なお、コード画像読み取り装置４００は可搬できる装置となっており、コード画像の読み取りは、用紙積載部３２０に不良用紙Ｐが積載されている状態にて行われる。さらに説明すると、不良用紙Ｐは、不良の程度によっては、取り除かれずそのまま用紙積載部３２０に残されることもあり、本実施形態では、ユーザは、用紙積載部３２０に未だ積載されている状態の不良用紙Ｐからコード画像の読み取りを行う。
【００４０】
そして、不良用紙Ｐ上のコード画像の読み取りが行われると、モニタ２１１（図１参照）上に、不良についての情報が表示される。なお、上記では説明を省略したが、コード画像読み取り装置４００としては、例えば、バーコードリーダが挙げられる。なお、バーコードリーダなどの専用の装置に限らず、カメラ付きの携帯電話やスマートフォンなどを、コード画像読み取り装置４００として用いる構成としてもよい。
【００４１】
図５は、モニタ２１１における表示画面の一例を示した図である。
本実施形態では、モニタ２１１における表示画面の図中左上に、コード画像を読み取ることにより得られた上記識別情報（ＩＤ）が表示される。また、表示画面の右上には、表示画面上に現在表示しているページのページ番号が表示される。さらに、ページ番号が表示されている箇所の右側には、２つの三角形が表示され、ページを他のページに切り替える際にユーザにより操作（押圧）されるページ切り替え操作部４１１が表示される。
【００４２】
また、本実施形態では、表示画面の中段且つ右側に、現在表示しているページの全体像４１９が表示される。なお、この全体像４１９には、４つの丸いマークＭＫ３が表示されており、本実施形態では、この４つの丸いマークＭＫ３が表示されている箇所にて不良が発生していることを示している。付言すると、本実施形態では、表示画面に表示される全体像４１９に、不良が発生している箇所を指し示す情報（画像）が表示されるようになっている。また、本実施形態では、表示画面の中段且つ中央に、不良が発生している箇所を拡大して表示する拡大表示部４１２が設けられている。
【００４３】
付言すると、表示画面の中段且つ中央には、不良が発生している箇所の読み取り画像データに基づく画像を拡大して表示する拡大表示部４１２が設けられている。なお、本実施形態では、上記４つのマークＭＫ３のうち、拡大表示部４１２にて表示されている不良（不良画像）を取り囲んでいるマークＭＫ３（図中、最も上に位置するマークＭＫ３）は、太い線で表示され、強調表示されている。これにより、ユーザは、全体像４１９にて複数表示されている不良の何れの不良が、拡大表示部４１２にて拡大表示されているかを認識しやすくなる。
【００４４】
さらに、本実施形態では、表示画面の中段且つ左側に（拡大表示部４１２の左側に）、原画像データに基づく画像を表示する原画像表示部４１３が設けられている。付言すると、表示画面の中段且つ左側に、原画像データのうち、不良が発生している箇所に対応した原画像データに基づく画像を拡大して表示する原画像表示部４１３が設けられている。ここで、本実施形態では、このように、拡大表示部４１２と原画像表示部４１３とが互いに隣接した状態で表示され、拡大表示部４１２に表示されている画像と、原画像表示部４１３に表示されている画像とを見比べやすくなっている。
【００４５】
また、本実施形態では、表示画面の図中下段且つ右側に、ユーザが再印刷を希望する場合にユーザにより操作（押圧）される「再印刷ボタン」が表示される。ここで、表示画面をユーザが確認した結果、限度を超えた不良が発生しているとユーザが判断した場合は、この再印刷ボタンがユーザにより押圧される。
【００４６】
再印刷ボタンが押圧された場合は、画像形成装置１００（図１）にて画像形成が行われ、画像が形成された新たな用紙Ｐが用紙積載部３２０の最上位に積載される。なお、同じ画像が形成された用紙Ｐが複数部作成される状況下にて、この再印刷が行われる場合は、不良が発生している用紙Ｐを、用紙積載部３２０から取り除くだけで済む。一方で、冊子が作成される場合のように、用紙Ｐの各々に形成される画像が異なる場合は、不良が発生している用紙Ｐ（用紙積載部３２０上に未だ積載されている不良用紙Ｐ）を、再印刷を行った用紙Ｐに差し替える必要が生じる。
【００４７】
いずれにしても、再印刷を行う場合は、用紙積載部３２０に積載されている複数の用紙Ｐの中から、不良用紙Ｐを特定し、この不良用紙Ｐを除去する必要が生じる。また、再印刷を行う場合以外でも、用紙積載部３２０に積載されている複数の用紙Ｐの中から不良用紙Ｐを特定する必要性が存在する。例えば、ユーザによっては、モニタ２１１における不良の確認に加え目視にて不良の確認を行いたい場合や、モニタ２１１における不良の確認を省略し不良用紙Ｐを目視にて直接的に確認したい場合がある。さらに説明すると、本実施形態では、モニタ２１１上に読み取り画像データおよび原画像データが表示され、ユーザは、モニタ２１１を確認することで不良の程度を確認するようになっているが、モニタ２１１では不良の程度を確認しにくい場合もある。このような場合、ユーザは、用紙積載部３２０に積載されている複数の用紙Ｐの中から不良用紙Ｐを特定する必要が生じる。
【００４８】
ここで、本実施形態では、不良用紙Ｐの上記特定は、コード画像を頼りに行われる。かかる場合に、コード画像が単なる記号であると、他のコード画像と見分けがつきにくくなり、不良用紙Ｐの特定を行いにくくなる。付言すると、用紙積載部３２０には、複数の不良用紙Ｐが積載される場合があり、この場合に、コード画像が単なる記号であると、特定しようとしている不良用紙Ｐと、この不良用紙Ｐ以外の不良用紙Ｐとの識別が行いにくくなる。このため、コード画像には、数字、文字、記号などを含ませるようにし、コード画像の判別を行いやすくしておくことが望ましい。
【００４９】
また、例えば、モニタ２１１を利用して、不良が発生している用紙Ｐの上記特定を行いやすくしてもよい。具体的には、例えば、モニタ２１１上に、例えば「ページ探索」ボタンを表示する。そして、この「ページ探索」ボタンがユーザにより押圧された場合、モニタ２１１を利用して、ユーザに対し、不良用紙Ｐに形成されているコード画像の読み取り（コード画像読み取り装置４００による読み取り）を順次行うように指示する。
【００５０】
具体的には、例えば、用紙積載部３２０まで行くようにユーザへ指示するとともに、用紙積載部３２０に存在する不良用紙Ｐの各々からのコード画像の読み取りを、ユーザに対して指示する。そして、コード画像読み取り装置４００により読み取られた識別情報と、特定を行おうしている用紙Ｐの識別情報とが一致した場合に、一致した旨を、モニタ２１１を通じてユーザに通知する。これにより、ユーザは、不良が発生している用紙Ｐの特定を行いやすくなる。
【００５１】
図５を参照し、モニタ２１１上における表示についてさらに説明すると、本実施形態では、図中、識別情報が表示されている箇所の右側に、拡大表示部４１２に表示される不良箇所を他の不良箇所に切り替える際にユーザにより操作される切り替え用操作部４１４が設けられている。
【００５２】
ここで、切り替え用操作部４１４がユーザにより操作されると、残り３つのマークＭＫ３のうちの、不良の程度が２番目に大きい不良を取り囲んでいるマークＭＫ３によって取り囲まれている部分（不良箇所）が、拡大表示部４１２に表示されるようになる。そして、切り替え用操作部４１４がユーザによりさらに操作されると、不良の程度が３番目に大きい不良を取り囲んでいるマークＭＫ３によって取り囲まれている部分（不良箇所）が、拡大表示部４１２に表示される。
【００５３】
また、切り替え用操作部４１４がユーザによりさらに操作されると、不良の程度が４番目に大きい不良（不良の程度が最も小さい不良）を取り囲んでいるマークＭＫ３によって取り囲まれている部分（不良箇所）が、拡大表示部４１２に表示される。即ち、本実施形態では、最初に、最も不良の程度が大きい箇所が拡大表示部４１２に表示され、以後、切り替え用操作部４１４が操作される度に、不良の程度がより小さい不良が表示されるようになる。なお、本実施形態では、切り替え用操作部４１４がユーザにより操作され、拡大表示部４１２における表示が切り替わると、これに対応して、原画像表示部４１３の表示も切り替わる。
【００５４】
ここで、本実施形態のように、不良の程度が大きいものから小さいものへ順に表示を行っていく場合、不良の確認に要するユーザの手間が低減される。より具体的に説明すると、例えば、最初に表示された不良に基づきユーザが再印刷を行った場合、このユーザは、残りの不良を確認しないで済むようになる。ここで、表示順を逆にし、不良の程度が小さいものから大きいものへ順に表示を行っていく場合、最後の方に表示された不良に基づき、再印刷を行われることが多くなる。かかる場合、切り替え用操作部４１４をユーザが操作する回数が増え、不良の確認に要するユーザの手間や時間が増えるようになる。
【００５５】
図６は、モニタ２１１における上記表示処理がなされる際に実行される一連の処理の流れを示したフローチャートである。
本実施形態では、まず、上記にて説明したとおり、コード画像読み取り装置４００によってコード画像の読み取りが行われ、識別情報（ＩＤ）が取得される（ステップ２０１）。なお、本実施形態では、コード画像読み取り装置４００によってコード画像を読み取ることで、識別情報を取得する場合を一例に説明したが、例えば、端末装置２１０（図１参照）に設けられたテンキー（不図示）をユーザが操作することで、識別情報が取得される構成としてもよい。
【００５６】
次いで、本実施形態では、端末装置２１０（図１参照）が結果保持部２４５にアクセスし、端末装置２１０によって、識別情報に対応付けて記憶されている不良状況データが読み出される（ステップ２０２）。これにより、不良が発生しているページのページ情報（ページ番号）、不良の発生位置（ページ内における位置）、不良の程度、不良の個数、不良が発生しているページの原画像データ、不良が発生しているページの読み取り画像データが、端末装置２１０に対して出力される。ここで、結果保持部２４５は、不良状況データを表示手段の一例としての端末装置２１０に出力する出力手段として捉えることができる。
【００５７】
次いで、端末装置２１０が、モニタ２１１上に、図５にて示した表示画面のように、不良についての情報である不良情報を表示する（ステップ２０３）。次いで、端末装置２１０は、カウンタ値ｎ＝０に設定する（ステップ２０４）。なお、このカウンタ値ｎは、照合処理部２４４（図１参照）によって、不良の各々を識別するために各不良に付された番号である。なお、本実施形態では、不良の程度が大きいほどカウンタ値ｎが小さくなるようにカウンタ値ｎが設定されており、これにより、上記にて説明したように、本実施形態では、不良の程度が大きい不良から不良の程度が小さい不良の順に、モニタ２１１上に、不良箇所が表示される。
【００５８】
次いで、図５にて示したとおり、画像表示手段として機能する端末装置２１０のモニタ２１１上に、ｎ番目の不良に対応した読み取り画像データに基づく画像、ｎ番目の不良に対応した原画像データに基づく画像が表示される（ステップ２０５）。さらに、読み取り画像データに基づく画像の全体像４１９（図５参照）をモニタ２１１に表示するとともに、マークＭＫ３のうち、拡大表示部４１２にて表示されている不良に対応したマークＭＫ３を太い線で表示（強調表示）する（ステップ２０６）。
【００５９】
次いで、受け付け手段として機能する端末装置２１０にて、モニタ２１１に対するユーザの操作を受け付けた場合（モニタ２１１に対するユーザの操作が検知された場合）、端末装置２１０は、ユーザによる操作（指示）が、ページ内送り、再印刷、ページ送りの何れであるかを判断する（ステップ２０７）。そして、例えば、ページ内送りであった場合（切り替え用操作部４１４（図５参照）が操作された場合）、同じページ内に不良がまだあるか否かを判断し（ステップ２０８）、同じページ内に不良がまだあると判断した場合は、カウント数ｎ＝ｎ＋１としたうえで（ステップ２０９）、ステップ２０５以降の処理を再度実行する。
【００６０】
一方、ステップ２０８にて、同じページ内に不良が存在しないと判断した場合は、不良が発生している他のページが有るか否かを判断する（コード画像読み取り装置４００によるコード画像の読み取りが行われた他のページがあるか否かを判断する）（ステップ２１１）。そして、他のページがあると判断した場合は、ステップ２０１の処理が再び実行される。なお、ステップ２０７において、ユーザによる操作が、ページ送りであると判断した場合も、ステップ２１１の処理が実行され、不良が発生している他のページが有るか否かの判断がなされる。
【００６１】
また、ステップ２０７にて、ユーザによる操作が、再印刷の指示であると判断した場合は、再印刷を行うページの画像データ（原画像データ）を再印刷ジョブとして登録する（ステップ２１０）。その後、ステップ２１１の処理が実行され、不良が発生している他のページが有るか否かの判断がなされる。ここで、ユーザによる操作が、再印刷の指示である場合は、ステップ２０８、ステップ２０９、ステップ２０５、ステップ２０６の処理が省略される。
【００６２】
即ち、同じページ内に、未だモニタ２１１上での表示を行っていない他の不良が存在していても、この不良についての表示は省略される。付言すると、本実施形態では、不良が発生している箇所が１ページ内に複数有る場合、上記のとおり、不良が発生している箇所を拡大したうえで順に表示していくが、再印刷の指示がユーザからあった場合には、不良が発生している箇所のうち未だモニタ２１１上に表示を行っていない部分の表示を省略する。
【００６３】
次にステップ２１２の処理について説明する。
ステップ２１１において、不良が発生している他のページが存在しないと判断された場合、ステップ２１２の処理が実行される。このステップ２１２の処理では、ステップ２１０にて登録された再印刷ジョブに基づき、再印刷処理が行われる。なお、この際、本実施形態では、モニタ２１１上に予め定められた問い合わせ画面を表示し、印刷の許可をユーザに求める。そして、ユーザから許可があった場合に再印刷を開始する。なお、本実施形態の処理では、複数ページに亘って不良が発生している場合、各々のページにおいて再印刷ジョブの登録が行われ、最後にまとめて再印刷が行われるが、このような処理に限らず、例えば、再印刷ジョブの登録（ユーザによる再印刷の指示）が行われる度に再印刷を行うようにしてもよい。
【００６４】
ここで、検査装置２００において、人間が行うような主観的な検査を行うことは困難である。このため、検査装置２００において不良が発生していると判断された画像であっても、人間が判断すると、不良が発生していないことがある。このような状況において、検査装置２００にて不良と判断されたものを一律に廃棄処分等してしまうことは妥当ではない。よって、検査装置２００において不良と判断された場合でも、ユーザによる確認を行うことが望ましくなる。ところで、一般的に、不良が生じていると検査装置２００によって判断された用紙Ｐを、大量の積載された用紙Ｐの中から見つけ出すのは困難となる。
【００６５】
そこで、本実施形態では、上記にて説明したように、不良が発生している用紙Ｐに対ししてコード画像を形成するようにし、さらに、この用紙Ｐをオフセットした状態で積載するようにしている。これにより、本実施形態では、検査装置２００において不良と判断された用紙Ｐがユーザによってより速やかに見つけ出されるようになる。なお、本実施形態では、用紙Ｐをオフセットする態様を一例に説明したが、用紙Ｐのオフセットは必須ではない。用紙Ｐのオフセットが無くても、用紙Ｐに対してコード画像が形成されているため、このコード画像を頼りに、不良と判断された用紙Ｐがユーザにより見つけ出されるようになる。
【００６６】
また、本実施形態では、上記にて説明したとおり、モニタ２１１上に、不良が発生している部分の画像と、この不良が発生している部分に対応した画像であって原画像データに基づく画像とが表示されるようになる。これにより、ユーザの視線の移動が最小限で済み、例えば、原画像データに基づく画像のみがモニタ２１１上に表示される場合に比べ、不良が発生している部分が本当に不良であるか否かのユーザによる判断がより速やかに行われるようになる。
【００６７】
また、本実施形態では、用紙積載部３２０上から不良用紙Ｐを取り出さずに、ユーザは、不良であるか否かの判断を行えるようになる。かかる場合、ユーザが不良ではないと判断した場合、用紙Ｐを用紙積載部３２０内の用紙束に戻すなどの作業をユーザは行わずに済む。用紙積載部３２０上からの用紙Ｐの取り出しが必須の場合、不良が発生していないとユーザが判断した場合も、用紙Ｐを、用紙積載部３２０内に戻す必要が生じる。
【００６８】
なお、本実施形態では、用紙Ｐをオフセットすることで、不良が発生している用紙Ｐを見つけ出しやすくしたが、例えば、用紙Ｐの側縁からその一部が突出するように用紙Ｐに対して付箋を貼り付けることでも、不良が発生している用紙Ｐは見つけ出しやすくなる。なお、このように付箋を貼る場合、上記と同様、用紙Ｐの側部にコード画像を形成するようにしてもよいし、この付箋に対してコード画像を形成するようにしてもよい。
【００６９】
また、本実施形態では、コード画像読み取り装置４００に対して、コード画像の読み取り機能を持たせたが、コード画像読み取り装置４００に対し、図５にて示した画面を表示するためのモニタを設けるようにしてもよい。そして、上記不良状況データをコード画像読み取り装置４００に送信し、コード画像読み取り装置４００にて、図５にて示した画面が表示されるようにしてもよい。この場合、ユーザは、モニタ２１１まで行かずに、用紙積載部３２０にて、不良の程度を確認できるようになる。
【００７０】
また、上記では、用紙Ｐに対してコード画像を形成する場合を説明したが、このコード画像に加え、図７（検査装置２００による検査が終了した後の用紙Ｐの状態を示した図）に示すように、用紙Ｐの側部に、不良の発生箇所を指し示す画像を形成するようにしてもよい。直接、ユーザの目視による不良の確認が行われる場合、不良の発生箇所を示す画像が形成されていると、不良が発生している箇所のユーザによる確認がより速やかに行われるようになる。なお、本例では、図中上部の側部と図中右側の側部に矢印を形成しており、上部の側部に形成された矢印の延長線と、右側の側部に形成された矢印の延長線との交点に、不良が発生している。
【符号の説明】
【００７１】
１…画像形成システム、２１０…端末装置、２１１…モニタ、２２０…画像読み取り装置、２４４…照合処理部、２４５…結果保持部、２４６…コード画像形成制御部、３００…用紙収容装置
【図１】
2014185941.tif 000003
【図２】
2014185941.tif 000004
【図３】
2014185941.tif 000005
【図４】
2014185941.tif 000006
【図５】
2014185941.tif 000007
【図６】
2014185941.tif 000008
【図７】
2014185941.tif 000009